(57)【要約】【課題】天板の作業有効面積を減ずることなく、配線ケーブル類を保護可能な幕板を容易に配設できるテーブルを提供すること。【解決手段】天板２と、少なくともこの天板２の一端側に、天板２の幅より外側に延在する一対の支持脚４ａ、４ｂとを備えたテーブル１であって、一対の支持脚４ａ、４ｂ間に、天板２の一端側外周形状に沿って所要間隙を有する幕板８を配設した構成とすることで、幕板８の配設が容易であり、かつ天板２と幕板８との間の間隙を配線ケーブルＣ１、Ｃ２等の通過空間として使用可能となる。また、一対の支持脚４ａ、４ｂと幕板８で形成される空間内にコンセントボックス１８を装架することもできる。【選択図】  図３
2004159689.tif 000002
【特許請求の範囲】
【請求項１】
天板と、少なくとも前記天板の一端側に、該天板幅より外側に延在する一対の天板支持脚とを備えたテーブルであって、前記一対の天板支持脚間に、前記天板一端側外周形状に沿って所要間隙を有する幕板を配設したことを特徴とするテーブル。
【請求項２】
前記幕板と前記一対の天板支持脚で形成される空間内に架台を装架した請求項１に記載のテーブル。
【請求項３】
前記架台は前記一対の天板支持脚に支持されている請求項２に記載のテーブル。
【請求項４】
前記架台はコンセントボックスである請求項２または３に記載のテーブル。
【請求項５】
前記所要間隙は配線ケーブル類が通過可能な大きさである請求項１ないし４の何れかに記載のテーブル。
【請求項６】
前記天板の一端側外周部と幕板間の間隙にその開口部を塞ぐカバーが設けられている請求項１ないし５の何れかに記載のテーブル。
【請求項７】
前記一対の天板支持脚は天板一端側最外端部より内側に立脚している請求項１ないし６の何れかに記載のテーブル。
【請求項８】
前記幕板または一対の天板支持脚或いはその双方が天板よりも高い位置まで延在している請求項１ないし７の何れかに記載のテーブル。
【請求項９】
前記一対の天板支持脚間に閉塞パネルが横設されている請求項１ないし８の何れかに記載のテーブル。
【発明の詳細な説明】
【０００１】
【発明の属する技術分野】
本発明は、天板と、少なくとも前記天板の一端側に、該天板幅より外側に延在する一対の天板支持脚とを備えたテーブルに関する。
【０００２】
【従来の技術】
従来のテーブルや机等の天板上で使用するパソコンや照明具のための電源コードは、天板上に一部切欠き孔を設けて電源コードを取り出すものがあるが（特許文献１、２参照）、天板の作業有効面積を一部犠牲にすることになり、好ましいものとはいえなかった。
【０００３】
このような事態を避けるために、天板に切欠き孔を設けずに、テーブル等の背面板や天板下面側に配線ケーブル等の収納ボックスを設けて、そこから配線が天板端部を乗り越えて天板上のパソコン等に接続したものが知られていた（特許文献３、４参照）。
【０００４】
【特許文献１】
特開２００１−１２８７４７号公報（第２，３頁、図１，２）
【特許文献２】
特開平８−１１２１４４号公報（段落００２０、図２）
【特許文献３】
特開平８−３６４号公報（段落００１９、図２、３）
【特許文献４】
特開平７−２３６５２１号公報（段落００１７、００２１、００３７
図２、３）
【０００５】
【発明が解決しようとする課題】
しかしながら、背面板に配線収納ボックスを設けた上記特許文献３に記載のものや、天板下面側に配線収納ボックスを設け設けた上記特許文献４に記載のものは、天板に配線用孔加工の必要がない反面、配線が天板端面を下から上に乗り越えてパソコン等に接続されているから、その乗り越え部分の配線に身体の一部が触れたり物がぶつかって配線部が損傷する恐れがあった。
【０００６】
本発明は、このような状況に鑑みてなされたもので、天板の作業有効面積を減ずることなく、配線ケーブル類を保護可能な幕板を容易に配設できるテーブルを提供することを目的とするものである。
【０００７】
【課題を解決するための手段】
上記課題を解決するために、本発明のテーブルは、天板と、少なくとも前記天板の一端側に、該天板幅より外側に延在する一対の天板支持脚とを備えたテーブルであって、前記一対の天板支持脚間に、前記天板一端側外周形状に沿って所要間隙を有する幕板を配設したことを特徴としている。
この特徴によれば、幕板が天板支持脚を利用して設けることができるので、幕板の配設が容易であり、かつ天板と幕板との間の間隙を配線ケーブル類の通過空間として使用可能である。
【０００８】
本発明のテーブルにおいて、前記該幕板と前記一対の天板支持脚で形成される空間内に架台を装架したことが好ましい。
このようにすれば、架台を小物収納具や棚板等として構成しておくことで、利用価値の少ないテーブル端部空間を利用形態が豊富なテーブルとして提供できる。
【０００９】
本発明のテーブルにおいて、前記架台は前記一対の天板支持脚に支持されていることが好ましい。
このようにすれば、架台を天板支持脚に支持させているので、重力がかかるものでも架台の上に置くことができる。
【００１０】
本発明のテーブルにおいて、前記架台はコンセントボックスであることが好ましい。
このようにすれば、幕板がコンセントボックスから天板側に延びるコードを保護することができる。
【００１１】
本発明のテーブルにおいて、前記所要間隙は配線ケーブル類が通過可能な大きさであることが好ましい。
このようにすれば、所要間隙を配線ケーブル類が通過できる程度に狭めることにより、テーブルから間隙を介して物が落ちることが極力防げる。
【００１２】
本発明のテーブルにおいて、前記天板の一端側外周部と幕板間の間隙にその開口部を塞ぐカバーが設けられていることが好ましい。
このようにすれば、配線ケーブル類を通過させないときは間隙をカバーで塞ぐことにより、テーブル上の物が落下するのを完全に阻止することができる。
【００１３】
本発明のテーブルにおいて、前記一対の天板支持脚は天板一端側最外端部より内側に立脚していることが好ましい。
このようにすれば、幕板と一対の天板支持脚で形成される空間領域を広く形成できる。
【００１４】
本発明のテーブルにおいて、前記幕板または一対の天板支持脚或いはその双方が天板よりも高い位置まで延在していることが好ましい。
このようにすれば、幕板または一対の天板支持脚或いは幕板と一対の天板支持脚を延長させて、架台等の取付け範囲を上方まで広げられる。
【００１５】
本発明のテーブルにおいて、前記一対の天板支持脚間に閉塞パネルが横設されていることが好ましい。
このようにすれば、天板側から幕板に向かって障害物が当接することを閉塞パネルで阻止できる。
【００１６】
【発明の実施の形態】
以下、本発明の実施形態を図面に基づいて説明する。
【００１７】
図１は本発明に係るテーブルの一実施形態を示すもので、天板幅より外側に延在する一対の天板支持脚と該一対の天板支持脚間に取付けられる幕板との関係を示す分解斜視図である。
【００１８】
符号１はテーブルであって、このテーブル１は、天板２と、この天板を支持する４本の天板支持脚４ａ、４ｂ（他の２本は不図示）とを備え、天板２の一端側に配置された一対の天板支持脚４ａ、４ｂ（以下支持脚と称する）は、天板２の横幅より外側に隣接して立脚しており、天板２は支持脚４ａ、４ｂの上端に内側に向けて突設したブラケット５上に止着支持されている。
【００１９】
一対の支持脚４ａ、４ｂの対向する内側面上下には、後述する幕板８取付け用ブラケット６がそれぞれ取付けられており、これら４つのブラケット６にビスを介して幕板８が止着されている。
【００２０】
この幕板８は、天板２一端側外周の円弧に沿って平面視円弧状に湾曲した断面形状であって、一対の支持脚４ａ、４ｂ下端から天板２の上面までを覆う高さで形成されているが、幕板の取付位置や張設長さは使用形態に応じて適宜設定すればよい。
【００２１】
一対の支持脚４ａ、４ｂ間に取付けられた湾曲状の幕板８上端には、図３に示すように天板２の一端側外周に沿った所定の開口部Ｇが形成されており、この開口部Ｇを配線ケーブルＣ１、Ｃ２等の通過空間として使用することができるようになっている。
【００２２】
尚、上記の開口部Ｇは、配線ケーブルＣ１、Ｃ２が通過出来る程度の大きさで形成して、この開口部Ｇを介して天板２上面から物が落下するのを極力防止するようにしているが、使用形態によっては、この間隙を広めに形成しておいてもよいことは言うまでもない。
【００２３】
図２は、支持脚の変形例であって、天板上方に延長する支持脚と両支持脚間に幕板を全長に亘って取付け、支持脚によって天板の他端側を支持した状態を示す斜視図である。
【００２４】
図２に示すように、一対の支持脚１０ａ、１０ｂは、天板２の上方に所定高さ延長するように形成され、両支持脚１０ａ、１０ｂ間には、同じ高さまで延長した湾曲状の幕板１２が図示しない幕板取付け用ブラケットを介して止着されている。
【００２５】
そして、天板２上方の、湾曲状幕板１２内側面ないし一対の支持脚１０ａ、１０ｂ間には、架台としての棚板１４が装架されており、これにより、利用価値の少ないテーブル１端部の空間を利用形態が豊富なテーブル１として提供できる。この棚板１４の代わりに小物収納ボックス等を設置してもよい。
【００２６】
また、図３は支持脚の別の変形例であって、天板の他端を支持した天板上方に延長する支持脚間に幕板を装架せず、棚板を装架したテーブル端部の部分斜視図である。
【００２７】
図３に示されるテーブル２５は、天板２を支持する一対の支持脚２０ａ、２０ｂが天板２の上方に所定高さ延長した構成となっており、天板２上方の両支持脚２０ａ、２０ｂ間には電子時計Ｗ等を載置する棚板２４の両端が止着支持されている。
【００２８】
尚、天板２上方に配置される棚板２４は、天板２下面の両支持脚２０ａ、２０ｂ間に装架することも可能であり、棚板の代わりに例えばコンセント１６を有するコンセントボックス１８を装架することもできる。天板２下方の幕板８がコンセントボックス１８から天板２側に延びるコードＣ２を保護することができる。
【００２９】
このように、両支持脚２０ａ、２０ｂ間に棚板２４やコンセントボックス１８等の架台を支持させることで、重力がかかるものでも載置可能である。
【００３０】
次に、図４の（ａ）は、幕板の変形例であって、天板の他端側を支持した支持脚間に天板上方に延長する幕板の内側に棚を取付ける状態を示す部分斜視図であり、（ｂ）は天板上方に延長する幕板の内側に棚が取付けられた状態を示す部分断面図である。
【００３１】
図４の（ａ）に示すように、天板２を上端で支持する上記支持脚４ａ、４ｂ間に取付けられる幕板３０は、天板２上方に所定高さ延長した縦長方形に構成され、湾曲形成される幕板３０の天板２より上方位置には、後述する棚板３２を取付けるための一対の支持孔３６ａ、３６ｂが横方向に並設されている。
【００３２】
一方、棚板３２は、幕板３０の内周面に接合する片側側面が幕板３０と同一円弧状に形成され、その下面には支持孔３６ａ、３６ｂに対応する間隔で一対のブラケット３４ａ、３４ｂが設けられ、これらブラケット３４ａ、３４ｂの接合端部には係止ピン３５ａ、３５ｂが突設している。
【００３３】
詳しくは、上記の支持孔３６ａ、３６ｂは、上端に係止ピン３５ａ、３５ｂの頭部が挿通する挿通孔が形成されると共に挿通孔の下方に係止ピン３５ａ、３５ｂの軸のみが通過できる長溝が形成され、挿通孔を挿通した係止ピン３５ａ、３５ｂの頭部を長溝により保持することで、棚板３２が片持ちで取付けられるようになっている。
【００３４】
図５の（ａ）は天板の一端側外周部と幕板間に形成される間隙に閉塞カバーが取付けられる状態を示す部分斜視図であり、（ｂ）は上記間隙に閉塞カバーが取付けられた状態の部分断面図である。
【００３５】
円弧状に形成される天板２の一端側外周部に対し所定の間隙が形成されるように、円弧状の幕板８が対向する一対の支持脚４ａ、４ｂ間に止着されており、天板２と同一高さの幕板８上端間に形成される円弧状の開口部Ｇは、円弧状に形成された閉塞カバー３８によって着脱自在に閉塞されている。
【００３６】
上記の閉塞カバー３８は、図５（ｂ）に示すように、その幅方向両端が天板２と同一高さの幕板８上端に支持されると共に、底面の中央には閉塞カバー３８の円弧に沿って開口部Ｇに嵌合可能な嵌合部４０が突設している。
【００３７】
従って、天板２の一端側外周部と幕板８間で形成される間隙の開口部Ｇは、図３に示されるような配線ケーブルＣ１、Ｃ２等を通過させないときは、その開口部Ｇを閉塞カバー３８で塞ぐことにより、天板２上の物が落下するのを完全に阻止することができる。また，必要により、閉塞カバー３８に孔をあけそこから配線を挿通するようにしてもよい。
【００３８】
図６は天板一端側最外端部より内側に立脚した一対の天板支持脚に止着された幕板の変形例であって、（ａ）は上述した円弧状に形成された天板一端側に対応する円弧形状の幕板を取付けた状態を示す部分平面図、（ｂ）は方形に形成された天板一端側に対応する方形形状の幕板を取付けた状態を示す部分平面図であり、（ｃ）は山形に形成された天板一端側に対応する山形形状の幕板を取付けた状態を示す部分平面図である。
【００３９】
すなわち、図６（ａ）に示すように、天板２の一端側を支持する支持脚４ａ、４ｂは天板２の一端側最外端部より内側に立脚配置されており、これら両支持脚４ａ、４ｂ間に、天板２一端側の円弧形状に対応した形状の幕板８が止着されている。
【００４０】
また、（ｂ）に示す幕板４６は、天板４２一端側の方形形状に対応した形状に形成されており、この幕板４６が天板４２の一端側最外端部より内側に立脚配置された両支持脚４５ａ、４５ｂ間に止着されている。
【００４１】
更に、（ｃ）に示す幕板５０は、天板４４一端側の山形形状に対応した形状に形成されており、この幕板５０が天板４４の一端側最外端部より内側に立脚配置された両支持脚４８ａ、４８ｂ間に止着されている。
【００４２】
このように幕板は天板の一端側形状に沿って所定間隙を有して配設されているが、所定間隙は一定間隔である必要はなく、方形形状の天板に対して円弧状の幕板であってもよく、要は、天板端部を天板幅より外側に延在する支柱に配設した幕板によって、多角的利用形態を有するテーブルが構築できればよい。
【００４３】
従って、一対の支持脚４ａ、４ｂ及び４５ａ、４５ｂないし４８ａ、４８ｂは、各天板２及び４２ないし４４の一端側最外端部より内側に立脚しているので、上記各幕板８、及び４６ないし５０と上記一対の支持脚間で形成される利用価値の少なかった空間領域を多機能を有するテーブルとして提供できる。
【００４４】
更に、上記のように立脚配置された一対の支持脚４ａ、４ｂ及び４５ａ、４５ｂないし４８ａ、４８ｂ間は、図３に示されるような閉塞パネル２２により閉塞されており、これによって天板２及び４２ないし４４側から上記各幕板に障害物が当接することを閉塞パネル２２で阻止することもできる。
【００４５】
【発明の効果】
本発明は以下の効果を奏する。
【００４６】
（ａ）請求項１項の発明によれば、幕板が天板支持脚を利用して設けることができるので、幕板の配設が容易であり、かつ天板と幕板との間の間隙を配線ケーブル類の通過空間として使用可能である。
【００４７】
（ｂ）請求項２項の発明によれば、架台を小物収納具や棚板等として構成しておくことで、利用価値の少ないテーブル端部空間を利用形態が豊富なテーブルとして提供できる。
【００４８】
（ｃ）請求項３項の発明によれば、架台を天板支持脚に支持させているので、重力がかかるものでも架台の上に置くことができる。
【００４９】
（ｄ）請求項４項の発明によれば、幕板がコンセントボックスから天板側に延びるコードを保護することができる。
【００５０】
（ｅ）請求項５項の発明によれば、所要間隙を配線ケーブル類が通過できる程度に狭めることにより、テーブルから間隙を介して物が落ちることが極力防げる。
【００５１】
（ｆ）請求項６項の発明によれば、配線ケーブル類を通過させないときは間隙をカバーで塞ぐことにより、テーブル上の物が落下するのを完全に阻止することができる。
【００５２】
（ｇ）請求項７項の発明によれば、幕板と一対の天板支持脚で形成される空間領域を広く形成できる。
【００５３】
（ｈ）請求項８項の発明によれば、幕板または一対の天板支持脚或いは幕板と一対の天板支持脚を延長させて、架台等の取付け範囲を上方まで広げられる。
【００５４】
（ｉ）請求項９項の発明によれば、天板側から幕板に向かって障害物が当接することを閉塞パネルで阻止できる。
【図面の簡単な説明】
【図１】本発明に係るテーブルの一実施形態を示すもので、天板幅より外側に延在する一対の天板支持脚と該一対の天板支持脚間に取付けられる幕板との関係を示す分解斜視図である。
【図２】支持脚の変形例であって、天板上方に延長する支持脚と両支持脚間に幕板を全長に亘って取付け支持脚によって天板の他端を支持した状態を示す斜視図である。
【図３】支持脚の別の変形例であって、天板の他端を支持した天板上方に延長する支持脚間に幕板を装架せず、棚板を装架したテーブル端部の部分斜視図である。
【図４】（ａ）は、幕板の変形例であって、天板の他端を支持した支持脚間に天板上方に延長する幕板の内側に棚を取付ける状態を示す部分斜視図であり、（ｂ）は天板上方に延長する幕板の内側に棚が取付けられた状態を示す部分断面図である。
【図５】（ａ）は天板の一端側外周部と幕板間に形成される間隙に閉塞カバーが取付けられる状態を示す部分斜視図であり、（ｂ）は上記間隙に閉塞カバーが取付けられた状態の部分断面図である。
【図６】天板一端側最外端部より内側に立脚した一対の天板支持脚に止着された幕板の変形例であって、（ａ）は上述した円弧状に形成された天板一端側に対応する円弧形状の幕板を取付けた状態を示す部分平面図、（ｂ）は方形に形成された天板一端側に対応する方形形状の幕板を取付けた状態を示す部分平面図であり、（ｃ）は山形に形成された天板一端側に対応する山形形状の幕板を取付けた状態を示す部分平面図である。
【符号の説明】
１                    テーブル
２                    天板
４ａ、４ｂ            天板支持脚
５、６                ブラケット
８                    幕板
１０ａ、１０ｂ        支持脚
１２                  幕板
１４                  棚板
１５                  間隙
１６                  コンセント
１８                  コンセントボックス
２０ａ、２０ｂ        支持脚
２２                  閉塞パネル
２４                  棚板
２５                  テーブル
３０                  幕板
３２                  棚板
３４ａ、３４ｂ        ブラケット
３５ａ、３５ｂ        係止ピン
３６ａ、３６ｂ        支持孔
３８                  閉塞カバー
４０                  嵌合部
４２、４４            天板
４５ａ、４５ｂ        支持脚
４６、５０            幕板
４８ａ、４８ｂ        支持脚
Ｃ１、Ｃ２            配線ケーブル
Ｇ                    開口部
Ｗ                    電子時計
【図１】
2004159689.tif 000003
【図２】
2004159689.tif 000004
【図３】
2004159689.tif 000005
【図４】
2004159689.tif 000006
【図５】
2004159689.tif 000007
【図６】
2004159689.tif 000008